(57)【要約】      （修正有）【課題】バッテリーの充電程度をより効率よくユーザに通知する方法及び通知システムを提供する。【解決手段】バッテリーの受け取りのための通知システムにより実行される通知方法であって、充電されるバッテリーの関連バッテリー識別子を検知することと、関連バッテリー識別子と一致する参照バッテリー識別子のうちの１つに対応する複数組の参照バッテリーデータのうちの１組を特定して、バッテリーを充電することと、バッテリーが満充電されたと判定した際、特定した複数組の参照バッテリーデータのうちの１組のユーザ端ターゲット受け手コードに指示される通知送信のターゲットに、受け取り通知を送信することと、を含む。【選択図】図２
2019180227.tif 000002
【特許請求の範囲】
【請求項１】
バッテリーの受け取りのための通知方法であって、バッテリーの受け取りのための通知システムにより実行され、
前記通知システムは、複数組の参照バッテリーデータと、複数の参照バッテリー識別子とを記憶しており、
前記参照バッテリー識別子はそれぞれ、前記複数組の参照バッテリーデータのうちの１組に対応しており
前記複数組の参照バッテリーデータはそれぞれ、通知送信のターゲットを指示するユーザ端ターゲット受け手コードを含んでおり、
前記通知方法は、
Ａ）前記通知システムにより、充電されるバッテリー（４）の関連バッテリー識別子を検知することと、
Ｂ）前記通知システムにより、前記関連バッテリー識別子と一致する前記参照バッテリー識別子のうちの１つに対応する前記複数組の参照バッテリーデータのうちの１組を特定して、前記バッテリー（４）を充電することと、
Ｃ）前記通知システムにより、前記バッテリー（４）が満充電されたと判定した際、ステップＢ）において特定した前記複数組の参照バッテリーデータのうちの前記１組の前記ユーザ端ターゲット受け手コードに指示される前記通知送信のターゲットに、受け取り通知を送信することと、
を含む、通知方法。
【請求項２】
前記通知システムは、複数組の参照登録データと、複数の参照登録端識別子とを更に記憶しており、
各前記参照登録端識別子はそれぞれ、前記複数組の参照登録データのうちの１組に対応しており、
前記複数組の参照登録データはそれぞれ、通知送信のターゲットを指示する登録端ターゲット受け手コードを含んでおり、
ステップＡ）は、前記通知システムにより、関連登録端識別子を検知することを含み、
ステップＢ）は、前記通知システムにより、前記関連登録端識別子と一致する前記参照登録端識別子のうちの１つに対応する前記複数組の参照登録データのうちの１組を特定することを含んでおり、
前記通知方法は、ステップＢ）の後に、
Ｄ）前記通知システムにより、特定された前記複数組の参照バッテリーデータのうちの前記１組、及び、特定された前記複数組の参照登録データのうちの前記１組とに基づいて、前記複数組の参照バッテリーデータのうちの前記１組に含まれている前記ユーザ端ターゲット受け手コード、及び、前記複数組の参照登録データのうちの前記１組に含まれている前記登録端ターゲット受け手コードとにそれぞれ指示される、両方の通知送信のターゲットに、確認通知を送信することを更に含む、請求項１に記載の通知方法。
【請求項３】
ステップＣ）は、前記通知システムにより、前記バッテリー（４）が満充電されたと判定した際、ステップＢ）において特定した前記複数組の参照登録データのうちの前記１組に含まれている、前記登録端ターゲット受け手コードに指示される前記通知送信のターゲットに、受け取り通知を送信することを含む、請求項２に記載の通知方法。
【請求項４】
前記複数組の参照バッテリーデータのそれぞれにおいて、前記ユーザ端ターゲット受け手コードにより指示される前記通知送信のターゲットはユーザ端電子装置であり、
前記複数組の参照登録データのそれぞれにおいて、前記登録端ターゲット受け手コードにより指示される前記通知送信のターゲットは登録端電子装置であり、
前記通知方法は、
Ｅ）前記通知システムにより、ステップＣ）において前記受け取り通知が送信された前記ユーザ端電子装置及び前記登録端電子装置のうちの一方が、前記通知システムに持ち込まれることで該受け取り通知に応答した際、前記ユーザ端電子装置及び前記登録端電子装置のうちの他の一方が前記通知システムに持ち込まれることで該受け取り通知に応答することを防止することを更に含む、請求項３に記載の通知方法。
【請求項５】
前記通知システムは、
サーバ（２）と、
通信ネットワークを介して前記サーバ（２）と通信可能な充電ステーション（３）と、
前記通信ネットワークを介して前記サーバ（２）と通信可能な複数のユーザ端電子装置と、
前記通信ネットワークを介して前記ユーザ端電子装置と通信可能な複数の受託端電子装置と、
を備えており、
前記サーバ（２）は、前記複数組の参照バッテリーデータと、前記参照バッテリー識別子と、前記ユーザ端電子装置により提供される複数の候補リストと、を記憶しており、
前記複数組の参照バッテリーデータのそれぞれにおいて、前記ユーザ端ターゲット受け手コードに指示される前記通知送信のターゲットはそれぞれ、前記ユーザ端電子装置のうちの１つであり、
前記参照バッテリー識別子はそれぞれ、前記候補リストのうちの１つに対応しており、
各前記候補リストは、各前記受託端電子装置にそれぞれ対応する複数の参照装置識別子を含んでおり、
前記ユーザ端電子装置のうちの１つは、前記サーバ（２）の、前記候補リストのうちの対応する１つに含まれた前記参照装置識別子のうちの１つに対する標記を可能にし、
ステップＡ）は、前記充電ステーション（３）により、前記バッテリー（４）の前記関連バッテリー識別子と、前記受託端電子装置のうちの１つの関連装置識別子とを検知し、そして該関連バッテリー識別子及び該関連装置識別子を前記サーバ（２）に送信することを含み、
ステップＢ）は、前記サーバ（２）により、前記関連装置識別子が、前記参照装置識別子のうちの標記された前記１つと一致すると判定した際、充電指令を前記充電ステーション（３）に送信して該充電ステーションの前記バッテリー（４）に対する充電を可能にすることを含み、
ステップＣ）は、前記サーバ（２）により、該前記サーバ（２）で前記バッテリー（４）が満充電されたと判定した際、ステップＢ）において特定した前記複数組の参照バッテリーデータのうちの前記１組の前記ユーザ端ターゲット受け手コードに指示される前記通知送信のターゲットに、前記受け取り通知を送信することを含む、請求項１に記載の通知方法。
【請求項６】
バッテリーの受け取りのための通知方法であって、バッテリーの受け取りのための通知システムによって実行され、
前記通知システムは、サーバ（２）と、通信ネットワークを介して前記サーバ（２）と通信可能な充電ステーション（３）とを備えており、
前記サーバ（２）は、複数組の参照バッテリーデータと、複数組の参照受託識別子と、複数の参照バッテリー識別子とを記憶しており、
前記参照バッテリー識別子はそれぞれ、前記複数組の参照バッテリーデータのうちの１つ及び前記参照受託識別子のうちの１つに対応しており、
前記複数組の参照バッテリーデータはそれぞれ、ユーザ端電子装置を通知送信のターゲットとして指示するユーザ端ターゲット受け手コードを含んでおり、
該通知方法には、
前記ユーザ端電子装置により、関連受託識別子を受託端電子装置に送信することと、
前記充電ステーション（３）により、充電されるバッテリー（４）の関連バッテリー識別子及び前記受託端電子装置の前記関連受託識別子とを検知し、そして前記関連バッテリー識別子及び前記関連受託識別子とを前記サーバ（２）に送信することと、
前記サーバ（２）により、前記関連受託識別子が前記サーバ（２）に記憶されている前記参照受託識別子のうちの１つと一致するか否か、及び前記関連バッテリー識別子が前記サーバ（２）に記憶されている前記参照バッテリー識別子のうちの１つと一致するか否か、を判定することと、
前記サーバ（２）により、前記関連受託識別子が前記参照受託識別子のうちの１つと一致し、且つ前記関連バッテリー識別子が前記参照バッテリー識別子のうちの１つと一致すると判定した際、充電指令を前記充電ステーション（３）に送信して、該充電ステーションの前記バッテリー（４）に対する充電を可能にすることと、
前記サーバ（２）により、前記サーバ（２）で前記バッテリー（４）が満充電されたと判定した際、前記関連バッテリー識別子と一致すると判定された前記参照バッテリー識別子のうちの前記１つに対応する、前記複数組の参照バッテリーデータのうちの１組の前記ユーザ端ターゲット受け手コードに指示される前記ユーザ端電子装置に、受け取り通知を送信することと、
を含んでいる、通知方法。
【請求項７】
バッテリーの受け取りのための通知システムであって、サーバ（２）と充電ステーション（３）とを備えており、
前記サーバ（２）は、複数組の参照バッテリーデータと、複数の参照バッテリー識別子とを記憶するよう構成されており、
各前記参照バッテリー識別子は、前記複数組の参照バッテリーデータのうちの１つに対応しており、
前記複数組の参照バッテリーデータはそれぞれ、通知送信のターゲットを指示するユーザ端ターゲット受け手コードを含んでおり、
前記充電ステーション（３）は、通信ネットワークを介して前記サーバ（２）と通信可能であり、且つ充電されるバッテリー（４）の関連バッテリー識別子を検知し、そして該関連バッテリー識別子を前記サーバ（２）に送信するよう構成されており、
前記サーバ（２）は、
前記関連バッテリー識別子と一致する前記参照バッテリー識別子のうちの１つに対応する前記複数組の参照バッテリーデータのうちの１組を特定して、前記充電ステーション（３）を制御し前記バッテリー（４）を充電させ、且つ、該サーバ（２）で前記バッテリー（４）が満充電されたと判定した際、前記関連バッテリー識別子と一致すると判定された前記参照バッテリー識別子のうちの前記１つに対応する、前記複数組の参照バッテリーデータのうちの前記１組の前記ユーザ端ターゲット受け手コードに指示される前記通知送信のターゲットに、受け取り通知を送信するよう、
構成されている、通知システム。
【請求項８】
バッテリーの受け取りのための通知システムであって、
該通知システムは、サーバ（２）と充電ステーション（３）とを備えており、
前記サーバ（２）は、複数組の参照バッテリーデータと、複数の参照バッテリー識別子と、複数組の参照登録データと、複数の参照登録端識別子と、を記憶するよう構成されており、
前記複数の参照バッテリー識別子はそれぞれ、前記複数組の参照バッテリーデータのうちの１組に対応しており、
前記複数組の参照バッテリーデータはそれぞれ、通知送信のターゲットを指示するユーザ端ターゲット受け手コードを含んでおり、
前記複数の参照登録端識別子は、前記複数組の参照登録データのうちの１組にそれぞれ対応しており、
前記複数組の参照登録データにはそれぞれ、通知送信のターゲットを指示する登録端ターゲット受け手コードを含んでおり、
前記充電ステーション（３）は、通信ネットワークを介して前記サーバ（２）と通信可能であり、且つ充電されるバッテリー（４）の関連バッテリー識別子及び関連登録端識別子を検知し、そして該関連バッテリー識別子及び該関連登録端識別子を前記サーバ（２）に送信するよう構成されており、
前記サーバ（２）は、
前記関連バッテリー識別子と一致する前記参照バッテリー識別子のうちの１つに対応する前記複数組の参照バッテリーデータのうちの１組と、前記参照登録端識別子のうちの１つに対応する前記複数組の参照登録データのうちの前記関連登録端識別子と一致する１組とを特定し、
特定された前記複数組の参照バッテリーデータのうちの前記１組と、特定された前記複数組の参照登録データのうちの前記１組とに基づいて、前記充電ステーション（３）を制御し前記バッテリー（４）を充電させ、そして、
特定された前記複数組の参照バッテリーデータのうちの前記１組と、特定された前記複数組の参照登録データのうちの前記１組とに基づいて、前記複数組の参照バッテリーデータのうちの前記１組に含まれている前記ユーザ端ターゲット受け手コードに指示される通知送信のターゲットと、前記複数組の参照登録データのうちの前記１組に含まれている前記登録端ターゲット受け手コードに指示される通知送信のターゲットとに、確認通知を送信するよう、
構成されている、通知システム。
【請求項９】
前記サーバ（２）は、前記充電ステーション（３）により前記バッテリー（４）が満充電されたと判定した際、前記複数組の参照バッテリーデータのうちの前記１組に含まれている前記ユーザ端ターゲット受け手コードに指示される通知送信のターゲットと、前記複数組の参照登録データのうちの前記１組に含まれている前記登録端ターゲット受け手コードに指示される通知送信のターゲットとに、受け取り通知を送信する、請求項８に記載の通知システム。
【請求項１０】
前記複数組の参照バッテリーデータのそれぞれにおいて、前記ユーザ端ターゲット受け手コードにより指示される前記通知送信のターゲットはユーザ端電子装置であり、
前記複数組の参照登録データのそれぞれにおいて、前記登録端ターゲット受け手コードにより指示される前記通知送信のターゲットは登録端電子装置であり、
前記通知システムは、前記受け取り通知が送信された、前記ユーザ端電子装置及び前記登録端電子装置のうちの一方が前記通知システムに持ち込まれることで該受け取り通知に応答した際、前記ユーザ端電子装置及び前記登録端電子装置のうちの他の一方が前記通知システムに持ち込まれることで該受け取り通知に応答することを防止するよう構成されている、請求項９に記載の通知システム。
【請求項１１】
バッテリーの受け取りのための通知システムであって、
該通知システムは、サーバ（２）と充電ステーション（３）とを備えており、
前記サーバ（２）は、通信ネットワークを介して複数のユーザ端電子装置と通信可能であり、且つ複数組の参照バッテリーデータと、複数の参照バッテリー識別子と、各前記ユーザ端電子装置によりそれぞれ提供される複数の候補リストと、を記憶するよう構成されており、
前記複数の参照バッテリー識別子はそれぞれ、前記複数組の参照バッテリーデータのうちの１組に対応しており、
前記複数組の参照バッテリーデータはそれぞれ、各前記ユーザ端電子装置のうちの１つである通知送信のターゲットを指示するユーザ端ターゲット受け手コードを含んでおり、
前記複数の参照バッテリー識別子はそれぞれ、前記候補リストのうちの１つに対応しており、
各前記候補リストは、受託端電子装置にそれぞれ対応する複数の参照装置識別子を含んでおり、
各前記ユーザ端電子装置のうちの１つは、前記サーバ（２）の、前記候補リストのうちの対応する１つに含まれる１つの前記参照装置識別子に対する標記を可能にし、
前記充電ステーション（３）は、通信ネットワークを介して前記サーバ（２）と通信可能であり、且つ充電されるバッテリー（４）の関連バッテリー識別子と、各前記受託端電子装置のうちの１つの関連装置識別子とを検知し、そして該関連バッテリー識別子及び該関連装置識別子を前記サーバ（２）に送信するよう構成されており、
前記サーバ（２）は、
前記参照装置識別子のうち、標記され且つ前記関連装置識別子と一致する１つを特定し、
前記充電ステーション（３）に充電指令を送信して、該充電ステーション（３）の、前記バッテリー（４）に対する充電を可能にし、そして、
該サーバ（２）により前記バッテリー（４）が満充電されたと判定した際、前記関連バッテリー識別子と一致する前記参照バッテリー識別子のうちの１つに対応する、前記複数組の参照バッテリーデータのうちの１組の前記ユーザ端ターゲット受け手コードに指示される前記通知送信のターゲットに、受け取り通知を送信するよう、
構成されている、通知システム。
【請求項１２】
バッテリーの受け取りのための通知システムであって、
該通知システムは、サーバ（２）と充電ステーション（３）とを備えており、
前記サーバ（２）は、複数組の参照バッテリーデータと、複数の参照受託識別子と、複数の参照バッテリー識別子と、を記憶するよう構成されており、
前記参照バッテリー識別子はそれぞれ、前記複数組の参照バッテリーデータのうちの１つ及び前記参照受託識別子のうちの１つに対応しており、
前記複数組の参照バッテリーデータはそれぞれ、ユーザ端電子装置を通知送信のターゲットとして指示するユーザ端ターゲット受け手コードを含んでおり、
前記ユーザ端電子装置は、関連受託識別子を受託端電子装置に送信するものであり、
前記充電ステーション（３）は、通信ネットワークを介して前記サーバ（２）と通信可能であり、且つ充電されるバッテリー（４）の関連バッテリー識別子及び前記受託端電子装置の前記関連受託識別子を検知し、そして該関連バッテリー識別子及び該関連受託識別子を前記サーバ（２）に送信するよう構成されており、
前記サーバ（２）は、
前記関連受託識別子が前記サーバ（２）内に記憶される各前記参照受託識別子のうちの１つと一致するか否か、及び、前記関連バッテリー識別子が前記サーバ（２）内に記憶される前記参照バッテリー識別子のうちの１つと一致するか否かを判定し、
該サーバ（２）により、前記関連受託識別子が前記参照受託識別子のうちの１つと一致し、且つ前記関連バッテリー識別子が前記参照バッテリー識別子のうちの１つと一致すると判定した際、前記充電ステーション（３）に充電指令を送信して、該充電ステーション（３）の前記バッテリー（４）に対する充電を可能にし、そして、
該サーバ（２）により前記バッテリー（４）が満充電されたと判定した際、前記関連バッテリー識別子と一致する前記参照バッテリー識別子のうちの前記１つに対応する、前記複数組の参照バッテリーデータのうちの１組の前記ユーザ端ターゲット受け手コードに指示される前記ユーザ端電子装置に、受け取り通知を送信するよう、
更に構成されている、通知システム。
【発明の詳細な説明】
【技術分野】
【０００１】
（関連する出願の相互参照）
本出願は、２０１８年３月８日に出願された台湾特許出願第１０７１０７８７４号の優先権を主張するものである。
【０００２】
本発明は、通知方法及び通知システムに関し、特にバッテリーの受け取りのための通知方法及び通知システムに関する。
【背景技術】
【０００３】
充電ステーションで、または台湾特許登録第Ｉ５６１４１３に開示されるバッテリーセットのためのメンテナンスディスプレイ装置で、電気自動車のバッテリーを満充電するには通常、約３時間から４時間かかる。現時点では、もしこの時間を利用して他所で用事を済ませたいユーザがある場合、該ユーザはバッテリーの充電程度について問い合わせを行わない限り、そのバッテリーが満充電したか否かを知ることができない。このため、バッテリーの充電程度をより効率よくユーザに通知する方法が求められる。
【発明の概要】
【発明が解決しようとする課題】
【０００４】
そこで、本発明の目的は、前記従来技術の欠点を少なくとも１つを克服できる、バッテリーの受け取りのための通知方法及び通知システムを提供することにある。
【課題を解決するための手段】
【０００５】
本開示の第１の態様によれば、通知方法は、バッテリーの受け取りのための通知システムにより実行される。前記通知システムは、複数組の参照バッテリーデータと、複数の参照バッテリー識別子とを記憶しており、前記参照バッテリー識別子はそれぞれ、前記複数組の参照バッテリーデータのうちの１組に対応している。前記複数組の参照バッテリーデータはそれぞれ、通知送信のターゲットを指示するユーザ端ターゲット受け手コードを含んでいる。前記通知方法は、
Ａ）前記通知システムにより、充電されるバッテリーの関連バッテリー識別子を検知することと、
Ｂ）前記通知システムにより、前記関連バッテリー識別子と一致する前記参照バッテリー識別子のうちの１つに対応する前記複数組の参照バッテリーデータのうちの１組を特定して、前記バッテリーを充電することと、
Ｃ）前記通知システムにより、前記バッテリーが満充電されたと判定した際、ステップＢ）において特定した前記複数組の参照バッテリーデータのうちの前記１組の前記ユーザ端ターゲット受け手コードに指示される前記通知送信のターゲットに、受け取り通知を送信することと、を含んでいる。
【０００６】
本開示の第２の態様によれば、通知方法は、バッテリーの受け取りのための通知システムによって実行される。前記通知システムは、サーバと、通信ネットワークを介して前記サーバと通信可能な充電ステーションとを備えている。前記サーバは、複数組の参照バッテリーデータと、複数組の参照受託識別子と、複数の参照バッテリー識別子とを記憶しており、前記参照バッテリー識別子はそれぞれ、前記複数組の参照バッテリーデータのうちの１つ及び前記参照受託識別子のうちの１つに対応している。前記複数組の参照バッテリーデータはそれぞれ、ユーザ端電子装置を通知送信のターゲットとして指示するユーザ端ターゲット受け手コードを含んでいる。該通知方法には、
前記ユーザ端電子装置により、関連受託識別子を受託端電子装置に送信することと、
前記充電ステーションにより、充電されるバッテリーの関連バッテリー識別子及び前記受託端電子装置の前記関連受託識別子とを検知し、そして前記関連バッテリー識別子及び前記関連受託識別子とを前記サーバに送信することと、
前記サーバにより、前記関連受託識別子が前記サーバに記憶されている前記参照受託識別子のうちの１つと一致するか否か、及び前記関連バッテリー識別子が前記サーバに記憶されている前記参照バッテリー識別子のうちの１つと一致するか否か、を判定することと、
前記サーバにより、前記関連受託識別子が前記参照受託識別子のうちの１つと一致し、且つ前記関連バッテリー識別子が前記参照バッテリー識別子のうちの１つと一致すると判定した際、充電指令を前記充電ステーションに送信して、該充電ステーションの前記バッテリーに対する充電を可能にすることと、
前記サーバにより、前記サーバで前記バッテリーが満充電されたと判定した際、前記関連バッテリー識別子と一致すると判定された前記参照バッテリー識別子のうちの前記１つに対応する、前記複数組の参照バッテリーデータのうちの１組の前記ユーザ端ターゲット受け手コードに指示される前記ユーザ端電子装置に、受け取り通知を送信することと、を含んでいる。
【０００７】
本開示の第３の別態様によれば、通知システムは、サーバと充電ステーションとを備えている。前記サーバは、複数組の参照バッテリーデータと、複数の参照バッテリー識別子とを記憶するよう構成されており、各前記参照バッテリー識別子は、前記複数組の参照バッテリーデータのうちの１つに対応している。前記複数組の参照バッテリーデータはそれぞれ、通知送信のターゲットを指示するユーザ端ターゲット受け手コードを含んでいる。前記充電ステーションは、通信ネットワークを介して前記サーバと通信可能であり、且つ充電されるバッテリーの関連バッテリー識別子を検知し、そして該関連バッテリー識別子を前記サーバに送信するよう構成されている。前記サーバは、前記関連バッテリー識別子と一致する前記参照バッテリー識別子のうちの１つに対応する前記複数組の参照バッテリーデータのうちの１組を特定して、前記充電ステーションを制御し前記バッテリーを充電させ、且つ、該サーバで前記バッテリーが満充電されたと判定した際、前記関連バッテリー識別子と一致すると判定された前記参照バッテリー識別子のうちの前記１つに対応する、前記複数組の参照バッテリーデータのうちの前記１組の前記ユーザ端ターゲット受け手コードに指示される前記通知送信のターゲットに、受け取り通知を送信するよう、構成されている。
【０００８】
本開示の第４の態様によれば、通知システムは、サーバと充電ステーションとを備えている。前記サーバは、複数組の参照バッテリーデータと、複数の参照バッテリー識別子と、複数組の参照登録データと、複数の参照登録端識別子と、を記憶するよう構成されている。前記複数の参照バッテリー識別子はそれぞれ、前記複数組の参照バッテリーデータのうちの１組に対応している。前記複数組の参照バッテリーデータはそれぞれ、通知送信のターゲットを指示するユーザ端ターゲット受け手コードを含んでいる。前記複数の参照登録端識別子は、前記複数組の参照登録データのうちの１組にそれぞれ対応している。前記複数組の参照登録データにはそれぞれ、通知送信のターゲットを指示する登録端ターゲット受け手コードを含んでいる。前記充電ステーションは、通信ネットワークを介して前記サーバと通信可能であり、且つ充電されるバッテリーの関連バッテリー識別子及び関連登録端識別子を検知し、そして該関連バッテリー識別子及び該関連登録端識別子を前記サーバに送信するよう構成されている。前記サーバは、前記関連バッテリー識別子と一致する前記参照バッテリー識別子のうちの１つに対応する前記複数組の参照バッテリーデータのうちの１組と、前記関連登録端識別子と一致する前記参照登録端識別子のうちの１つに対応する前記複数組の参照登録データのうちの１組とを特定するよう構成されている。前記サーバは、特定された前記複数組の参照バッテリーデータのうちの前記１組と、特定された前記複数組の参照登録データのうちの前記１組とに基づいて、前記充電ステーションを制御し前記バッテリーを充電させるよう構成されている。前記サーバは、特定された前記複数組の参照バッテリーデータのうちの前記１組と、特定された前記複数組の参照登録データのうちの前記１組とに基づいて、前記複数組の参照バッテリーデータのうちの前記１組に含まれている前記ユーザ端ターゲット受け手コードに指示される通知送信のターゲットと、前記複数組の参照登録データのうちの前記１組に含まれている前記登録端ターゲット受け手コードに指示される通知送信のターゲットとに、確認通知を送信するよう、構成されている。
【０００９】
本開示の第５の態様によれば、通知システムは、サーバと充電ステーションとを備えている。前記サーバは、通信ネットワークを介して複数のユーザ端電子装置と通信可能である。前記サーバは、複数組の参照バッテリーデータと、複数の参照バッテリー識別子と、各前記ユーザ端電子装置によりそれぞれ提供される複数の候補リストと、を記憶するよう構成されている。前記複数の参照バッテリー識別子はそれぞれ、前記複数組の参照バッテリーデータのうちの１組に対応している。前記複数組の参照バッテリーデータはそれぞれ、各前記ユーザ端電子装置のうちの１つである通知送信のターゲットを指示するユーザ端ターゲット受け手コードを含んでいる。前記複数の参照バッテリー識別子はそれぞれ、前記候補リストのうちの１つに対応している。各前記候補リストは、各前記受託端電子装置にそれぞれ対応する複数の参照装置識別子を含んでいる。各前記ユーザ電子装置のうちの１つは、前記サーバの、前記候補リストのうちの対応する１つに含まれる１つの前記参照装置識別子に対する標記を可能にする。前記充電ステーションは、通信ネットワークを介して前記サーバと通信可能である。前記充電ステーションは、充電されるバッテリーの関連バッテリー識別子と、各前記受託端電子装置のうちの１つの関連装置識別子とを検知し、そして該関連バッテリー識別子及び該関連装置識別子を前記サーバに送信するよう構成されている。前記サーバは、前記参照装置識別子のうち、標記され且つ前記関連装置識別子と一致する１つを特定し、前記充電ステーションに充電指令を送信して、該充電ステーションの、前記バッテリーに対する充電を可能にし、そして、該サーバにより前記バッテリーが満充電されたと判定した際、前記関連バッテリー識別子と一致する前記参照バッテリー識別子のうちの１つに対応する、前記複数組の参照バッテリーデータのうちの１組の前記ユーザ端ターゲット受け手コードに指示される前記通知送信のターゲットに、受け取り通知を送信するよう、構成されている。
【００１０】
本開示の第６の態様によれば、通知システムは、サーバと充電ステーションとを備えている。前記サーバは、通信ネットワークを介して複数のユーザ端電子装置と通信可能である。前記サーバは、複数組の参照バッテリーデータと、複数の参照受託識別子と、複数の参照バッテリー識別子と、を記憶するよう構成されており、前記参照バッテリー識別子はそれぞれ、前記複数組の参照バッテリーデータのうちの１つ及び前記参照受託識別子のうちの１つに対応している。前記複数組の参照バッテリーデータはそれぞれ、ユーザ端電子装置を通知送信のターゲットとして指示するユーザ端ターゲット受け手コードを含んでいる。前記ユーザ端電子装置は、関連受託識別子を受託端電子装置に送信する。前記充電ステーションは、通信ネットワークを介して前記サーバと通信可能であり、且つ充電されるバッテリーの関連バッテリー識別子及び前記受託端電子装置の前記関連装置識別子を検知し、そして該関連バッテリー識別子及び該関連受託識別子を前記サーバに送信するよう構成されている。前記サーバは、前記関連受託識別子が前記サーバ内に記憶される各前記参照受託識別子のうちの１つと一致するか否か、及び、前記関連バッテリー識別子が前記サーバ内に記憶される前記参照バッテリー識別子のうちの１つと一致するか否かを判定し、該サーバにより、前記関連受託識別子が前記参照受託識別子のうちの１つと一致し、且つ前記関連バッテリー識別子が前記参照バッテリー識別子のうちの１つと一致すると判定した際、前記充電ステーションに充電指令を送信して、該充電ステーションの前記バッテリーに対する充電を可能にし、そして、該サーバにより前記バッテリーが満充電されたと判定した際、前記関連バッテリー識別子と一致する前記参照バッテリー識別子のうちの前記１つに対応する、前記複数組の参照バッテリーデータのうちの１組の前記ユーザ端ターゲット受け手コードに指示される前記ユーザ端電子装置に、受け取り通知を送信するよう、更に構成されている。
【００１１】
本発明の他の特徴および利点は、添付の図面を参照する以下の実施形態の詳細な説明において明白になるであろう。
【図面の簡単な説明】
【００１２】
【図１】本開示に係る通知システムの実施形態を示すブロック図である。
【図２】本開示に係るバッテリーの受け取りのための通知方法の第１の実施形態を示すフローチャートである。
【図３】本開示に係るバッテリーの受け取りのための通知方法の第２の実施形態を示すフローチャートである。
【図４】本開示に係るバッテリーの受け取りのための通知方法の第３の実施形態を示すフローチャートである。
【図５】本開示に係るバッテリーの受け取りのための通知方法の第４の実施形態を示すフローチャートである。
【発明を実施するための形態】
【００１３】
本発明をより詳細に説明する前に、適切と考えられる場合において、符号又は符号の末端部は、同様の特性を有し得る対応の又は類似の要素を示すために各図面間で繰り返し用いられることに留意されたい。
【００１４】
図１を参照すると、本開示に係るバッテリーの受け取りのためのシステムの実施形態が、図示されている。該通知システムは、サーバ２と、充電ステーション３とを備えている。充電ステーション３は、通信ネットワークを介してサーバ２と通信可能である。本実施形態において、前記通信ネットワークは、インターネットとして実施される。
【００１５】
前記通知システムは、バッテリー４が充電のためにユーザにより充電ステーション３に持ち込まれた場合に、該通知システムから、該バッテリー４及び該ユーザに関連付けられた情報に基づいて、バッテリーの受け取りのための電子認証を生成して、そのバッテリーの受け取りのための電子認証を前記通信ネットワークを介して、そのユーザに発行する（例えば放送などにより）。バッテリー４を受け取るには、ユーザは前記電子認証を示すことが要求される。該電子認証が検証された際、そのユーザによるバッテリー４の受け取りが許可される。
【００１６】
充電ステーション３は、充電されるバッテリー４のバッテリー識別子（以下では“関連バッテリー識別子”とも称される）を検知し、そして該関連バッテリー識別子をサーバ２に送信するよう構成されている。充電ステーション３は、サービス端電子装置３１と、充電器３２とを具えている。本実施形態において、サービス端電子装置３１は、モバイル装置（例えば、スマートフォン、またはタブレットコンピュータ）として実施されてもよいが、該サービス端電子装置３１の実施は本開示に制限されず、他の実施形態で変更されてもよい。また、充電器３２は、バッテリー４を充電するための電力供給装置として機能する。
【００１７】
サーバ２は、複数組の参照バッテリーデータと、前記複数組の参照バッテリーデータのうちの１つにそれぞれ対応している複数の参照バッテリー識別子と、を記憶するよう構成されている。前記複数組の参照バッテリーデータはそれぞれ、通知送信のターゲット（即ち、通知の送信先のターゲットとされた受け手）を指示するユーザ端ターゲット受け手コードを含んでいる。サーバ２は、前記関連バッテリー識別子と一致する前記参照バッテリー識別子のうちの１つに対応する、前記複数組の参照バッテリーデータのうちの１組を特定するよう構成されている。サーバ２は、充電ステーション３を制御してバッテリー４を充電させるよう構成されている。また、サーバ２は、バッテリー４が満充電されたとサーバ２により判定された際、前記関連バッテリー識別子と一致すると判定された前記参照バッテリー識別子のうちの前記１つに対応する、前記複数組の参照バッテリーデータのうちの前記１組の前記ユーザ端ターゲット受け手コードに指示される前記通知送信のターゲットに、受け取り通知を送信するよう構成されている。
【００１８】
本実施形態において、サーバ２は、データ送信のため、ＷｉＦｉまたはＢｌｕｅｔｏｏｔｈ無線通信技術などの手段で、充電ステーション３と通信可能なパソコン、もしくはクラウドホストとして実施されてもよい。しかしながら、サーバ２の実施は本開示に制限されず、他の実施形態で変更されてもよい。
【００１９】
図２を参照すると、本開示に係るバッテリーの受け取りのための通知方法の第１の実施形態が図示されている。該通知方法は、前述の、バッテリーの受け取りのための通知システムの実施形態によって実行される。そして該方法は、後述のステップ４１〜ステップ４４を含む。
【００２０】
ステップ４１において、前記通知システムのサーバ２は、前記複数組の参照バッテリーデータと、該複数組の参照バッテリーデータにそれぞれ対応する複数の参照バッテリー識別子とを記憶している。本実施形態において、前記参照バッテリー識別子及び前記関連バッテリー識別子は、バッテリーの製造工程において車両製造者により、個別のバッテリーに記録され、そしてそれぞれが例えば、リニアバーコード、またはクイックレスポンス（ＱＲ）コードのようなマトリックスバーコートとしてフォーマットされる。しかしながら、前記参照バッテリー識別子及び前記関連バッテリー識別子の実施は、本開示に制限されず、他の実施形態で変更されてもよい。
【００２１】
ステップ４２において、前記通知システムの充電ステーション３は、近距離通信（ＮＦＣ）プロトコルに基づいて、該充電ステーション３のサービス端電子装置３１のＮＦＣモジュールにより、充電されるバッテリー４の前記関連バッテリー識別子を検知する。その後、充電ステーション３のサービス端電子装置３１は、検知された前記関連バッテリー識別子をサーバ２に送信する。
【００２２】
ステップ４３において、前記通信ネットワークを介して、充電ステーション３のサービス端電子装置３１により送信された前記関連バッテリー識別子を受信した後、前記通知システムのサーバ２は、前記関連バッテリー識別子と一致する前記参照バッテリー識別子のうちの１つに対応する前記複数組の参照バッテリーデータのうちの１組を特定して、充電指令を充電ステーション３の充電器３２に送信して、該充電器３２の前記充電指令に基づくバッテリー４に対する充電を可能にする。
【００２３】
ステップ４４において、バッテリー４が充電器３２により充電された際、該充電器３２は、指示信号をサーバ２に送信する。前記指示信号に基づいて、前記通知システムのサーバ２によりバッテリー４が満充電されたと判定し、ステップ４３で特定した前記複数組の参照バッテリーデータのうちの前記１組の前記ユーザ端ターゲット受け手コードに指示される前記通知送信のターゲットに、前記受け取り通知を送信する。本実施形態において、前記通知送信のターゲットはモバイル装置によって実施されており、そして該モバイル装置は、前記通信ネットワークを介してデータを受信でき、且つバッテリー４のユーザ（またはバッテリー４の所有者）に属する（例えば、所有され、もしくは携帯／所持される）。本実施形態において、前記受け取り通知は、例えばリニアバーコード、またはＱＲコードのようなマトリックスバーコードとしてフォーマットされて実施される。だだし、該受け取り通知の実施は、本開示に制限されず、他の実施形態で変更されてもよい。
【００２４】
このように、ユーザは、バッテリーを充電する過程において自主的に問い合わせずとも、バッテリー４が満充電されそして受け取り待ちであることを受け取り通知により通知されることができる。
【００２５】
図３を参照すると、本開示に係るバッテリーの受け取りのための通知方法の第２の実施形態が図示されている。該通知方法は、前述の図１に示されているバッテリーの受け取りのための通知方法の実施形態により実行される。該バッテリーの受け取りのための通知方法の第２の実施形態の実行するにあたり、当該通知システムは、複数組の参照登録データと、複数の参照登録端識別子とを更に記憶しており、また、各前記参照登録端識別子はそれぞれ、前記複数組の参照登録データのうちの１組に対応している。前記複数組の参照登録データはそれぞれ、通知送信のターゲットを指示する登録端ターゲット受け手コードを含んでいる。本実施形態では、前記複数組の参照バッテリーデータのそれぞれにおいて、前記ユーザ端ターゲット受け手コードにより指示される前記通知送信のターゲットはユーザ端電子装置であり、そして前記複数組の参照登録データのそれぞれにおいて、前記登録端ターゲット受け手コードにより指示される前記通知送信のターゲットは登録端電子装置である。だだし、前記ユーザ端ターゲット受け手コードにより指示される前記通知送信のターゲットの実施、及び、前記登録端ターゲット受け手コードにより指示される前記通知送信のターゲットの実施は、本開示に制限されず、他の実施形態で変更されてもよい。本実施形態において、前記ユーザ端電子装置と前記登録端電子装置とはそれぞれ、バッテリー４のユーザに属する（例えば、所有され、もしくは携帯される）モバイル装置と、前記車両製造者により提供された登録ウェブサイトに登録し、且つ通常は第３者である登録ユーザに属するモバイル装置とで例示される。なお、本実施形態において、前記登録ユーザは、バッテリー４の前記ユーザに受託されて、バッテリーの充電のために該バッテリー４を充電ステーション３に持ち込むよう手伝うものである。
【００２６】
該方法は、後述のステップ５１〜ステップ５６を含んでいる。
【００２７】
ステップ５１において、前記通知システムのサーバ２は、前記複数組の参照バッテリーデータと、前記複数の参照バッテリー識別子と、前記複数組の参照登録データと、前記複数の参照登録端識別子とを記憶する。
【００２８】
ステップ５２において、前記通知システムの充電ステーション３のサービス端電子装置３１の前記ＮＦＣモジュールは、ＮＦＣプロトコルに基づいて、充電されるバッテリー４の関連バッテリー識別子と、関連登録端識別子とを検知する。その後、充電ステーション３のサービス端電子装置３１は、前記関連バッテリー識別子と前記関連登録端識別子とをサーバ２に送信する。前記参照バッテリー識別子と同様、各前記参照登録端識別子及び各前記関連登録端識別子は、例えばリニアバーコード、またはＱＲコードのようなマトリックスバーコードとしてフォーマットされて実施され、そして対応する登録ユーザが登録した前記登録ウェブサイトにより生成されるものである。ただし、各前記参照登録端識別子及び各前記関連登録端識別子の実施は、本実施形態に制限されず、他の実施形態において変更されてもよい。
【００２９】
ステップ５３において、前記通信ネットワークを介して、充電ステーション３のサービス端電子装置３１により送信した、前記関連バッテリー識別子及び前記関連登録端識別子を受信した後、前記通知システムのサーバ２は、前記関連バッテリー識別子と一致する前記参照バッテリー識別子のうちの１つに対応する前記複数組の参照バッテリーデータのうちの１組と、前記関連登録端識別子と一致する前記参照登録端識別子のうちの１つに対応する前記複数組の参照登録データのうちの1組と、を特定する。そしてサーバ２は、前記充電指令を充電ステーション３の充電器３２に送信して、充電ステーション３の充電器３２の該充電指令に基づくバッテリー４に対する充電を可能にする。
【００３０】
ステップ５４において、バッテリー４のユーザと、該バッテリー４を充電ステーション３に持ち込むよう受託された前記登録ユーザとに通知するため、ステップ５３が遂行された際、前記通知システムのサーバ２は、特定された前記複数組の参照バッテリーデータのうちの前記１組、及び、特定された前記複数組の参照登録データのうちの前記１組とに基づいて、前記複数組の参照バッテリーデータのうちの前記１組に含まれている前記ユーザ端ターゲット受け手コードと、前記複数組の参照登録データのうちの前記１組に含まれている前記登録端ターゲット受け手コードとにそれぞれ指示される、両方の通知送信のターゲット（即ち、バッテリー４の前記ユーザに属する前記モバイル装置、及び、前記登録ユーザに属する前記モバイル装置）に、確認通知を送信する。
【００３１】
ステップ５５において、バッテリー４が充電器３２により満充電された際、該充電器３２は前記指示信号をサーバ２に送信する。前記指示信号に基づいて、サーバ２によりバッテリー４が満充電されたと判定し、そして該サーバ２は、ステップ５３で特定された前記複数組の参照バッテリーデータのうちの前記１組の前記ユーザ端ターゲット受け手コードに指示される通知送信のターゲット、及び、ステップ５３で特定された前記複数組の参照登録データのうちの前記１組に含まれた前記登録端ターゲット受け手コードに指示される通知送信のターゲット、即ち、バッテリー４の前記ユーザに属する前記モバイル装置、及び、バッテリー４を充電ステーション３に持ち込むよう受託された前記登録ユーザに属する前記モバイル装置両方に、受け取り通知を送信する。このように、バッテリー４のユーザと前記登録ユーザ双方に、該バッテリー４が満充電されそして受け取り準備ができていることが通知される。本実施形態において、前記受け取り通知は、例えばリニアバーコード、またはＱＲコードのようなマトリックスバーコードとしてフォーマットされて実施されるものである。ただし、該受け取り通知の実施は、本実施形態に制限されず、他の実施形態において変更されてもよい。
【００３２】
ステップ５６において、同じバッテリー４に対するバッテリーの受け取りの繰り返しを避けるために、ステップ５５において前記受け取り通知が送信された前記ユーザ端電子装置及び前記登録端電子装置のうちの一方が、前記通知システムに持ち込まれること（例えば、該通知システムを充電ステーション３に提供して、バッテリー４の受け取りの許可を取るようスキャンさせる）で、該受け取り通知に応答した際、該通知システムは、前記ユーザ端電子装置及び前記登録端電子装置のうちの他の一方が、前記通知システムに持ち込まれることで、同じ受け取り通知に応答することを防止する。言い換えると、前記ユーザ端電子装置及び前記登録端電子装置のうちの他の一方が受信した前記受け取り通知に対応するバッテリーの受け取りの許可は、自動的に無効となる。
【００３３】
このように、バッテリーの充電の進み具合に関して問い合わせをせずとも、バッテリー４のユーザ、及び、バッテリーの充電のために該バッテリー４を充電ステーション３に持ち込むよう受託された前記登録ユーザには、バッテリー４が満充電されそして受け取り待ちであることを受け取り通知により通知されることができる。更に、２人の前記ユーザの１人が前記バッテリーを受け取った際、他の１人の前記ユーザに対応する前記受け取り通知は自動的に無効となって、バッテリーの受け取りの繰り返しを防止する。
【００３４】
図４を参照すると、本開示に係るバッテリーの受け取りのための通知方法の第３の実施形態が図示されている。該通知方法は、前述の図１に示されているバッテリーの受け取りのための通知システムの実施形態により実行される。また、複数のユーザ端電子装置が、前記通信ネットワークを介して該通知システムのサーバ２と通信可能にされている。更に、前記複数のユーザ端電子装置は、複数の受託端電子装置と通信可能にされている。本実施形態において、前記複数のユーザ端電子装置及び前記複数の受託端電子装置はそれぞれ、モバイル装置（例えば、スマートフォン、またはタブレットコンピュータ）として実施されてもよいが、それらの実施は、本開示に制限されず、他の実施形態で変更されてもよい。サーバ２は、前記ユーザ端電子装置により提供される複数の候補リストを更に記憶するよう構成されている。前記複数組の参照バッテリーデータのそれぞれにおいて、前記ユーザ端ターゲット受け手コードに指示される前記通知送信のターゲットはそれぞれ、前記ユーザ端電子装置のうちの１つである。前記参照バッテリー識別子はそれぞれ、前記候補リストのうちの１つに対応する。各前記候補リストは、各前記受託端電子装置にそれぞれ対応する複数の参照装置識別子を含んでいる。前記ユーザ端電子装置のうちの１つは、サーバ２の、前記ユーザ端電子装置のうちの該１つにより提供された、前記候補リストのうちの対応する１つに含まれた前記参照装置識別子のうちの１つに対する標記を可能にする。
【００３５】
該方法は、後述のステップ６１〜ステップ６４を含んでいる。
【００３６】
ステップ６１において、前記通知システムのサーバ２は、前記複数組の参照バッテリーデータと、前記参照バッテリー識別子と、前記通信ネットワークを介して前記ユーザ端電子装置（即ち、モバイル装置）により提供される前記複数の候補リストと、を記憶する。本実施形態において、各候補リストは、特製のモバイルアプリケーション、即ち、車両製造者により開発され且つ前記複数のユーザ端電子装置のうちの１つに搭載されているアプリケーションプログラム（ＡＰＰ）にサポートされる、フレンドリストとして実行されるものである。本実施形態において、各受託端電子装置は、受託ユーザのモバイル装置であり、そして該受託ユーザは、バッテリー４のユーザの友人であって、バッテリー４の該ユーザのモバイル装置に搭載された前記特製のモバイルアプリケーションで構築したフレンドリストに記録されていると共に、バッテリーの充電のためにバッテリー４の該ユーザに頼まれて該バッテリー４を充電ステーション３に持ち込むものである。言い換えると、前記受託端電子装置は、バッテリー４の前記ユーザに頼まれて、バッテリーの充電のために該バッテリー４を充電ステーション３に持ち込む受託ユーザに属すると共に、前記候補リストのうちの対応する１つの中の、前記参照装置のうちの標記された１つに対応する、モバイル装置である。
【００３７】
ステップ６２において、充電ステーション３のサービス端電子装置３１の前記ＮＦＣモジュールは、バッテリー４の前記関連バッテリー識別子と、前記受託端装置のうちの１つの関連装置識別子とを検知し、そして該関連バッテリー識別子及び該関連装置識別子をサーバ２に送信する。
【００３８】
ステップ６３において、サーバ２により、前記関連装置識別子が、前記参照装置識別子のうちの標記された前記１つと一致すると判定し、且つ、前記関連バッテリー識別子が前記参照バッテリー識別子のうちの１つと一致する判定した際、サーバ２は、前記充電指令を充電ステーション３の充電器３２に送信して、該充電ステーション３の充電器３２の該充電指令に基づくバッテリー４に対する充電を可能にする。
【００３９】
ステップ６４において、バッテリー４が充電器３２により充電された際、該充電器３２は、前記指示信号をサーバ２に送信する。サーバ２は、前記指示信号に基づいてバッテリー４が満充電されたと判定し、そして、前記関連バッテリー識別子と一致する前記参照バッテリー識別子のうちの前記１つに対応する前記複数組の参照バッテリーデータのうちの１組の前記ユーザ端ターゲット受け手コードに指示される、前記通知送信のターゲットに、前記受け取り通知を送信する。このため、バッテリー４のユーザは、前記ユーザ端電子装置のうちの対応する１つ、即ちバッテリー４の該ユーザの前記モバイル装置に受信された前記受け取り通知で、バッテリー４を受け取ることができる。
【００４０】
このように、前記受託ユーザは、バッテリー４の前記ユーザの代役を務め、バッテリーの充電のために該バッテリー４を充電ステーション３に持ち込むことができる。更に、バッテリーの充電の進み具合に関して問い合わせをせずとも、バッテリー４のユーザは、バッテリー４が満充電されそして受け取り待ちである受け取り通知により通知されることができる。
【００４１】
図５を参照すると、本開示に係るバッテリーの受け取りのための通知方法の第４の実施形態が図示されている。該通知方法は、前述の図１に示されているバッテリーの受け取りのための通知システムの実施形態により実行される。バッテリーの受け取りのための通知方法の第４の実施形態を実施するにあたり、サーバ２は、複数組の参照受託識別子を記憶するよう更に構成されている。前記複数の参照バッテリー識別子はそれぞれ、前記複数組の参照バッテリーデータのうちの１つ、及び、前記参照受託識別子のうちの１つに、対応している。また、前記複数組の参照バッテリーデータはそれぞれ、ユーザ端電子装置を通知送信のターゲットとして指示するユーザ端ターゲット受け手コードを含んでいる。
【００４２】
該方法は、後述のステップ７１〜ステップ７６を含んでいる。
【００４３】
ステップ７１において、前記通知システムのサーバ２は、複数の参照受託識別子と、複数組の参照バッテリーデータと、前記複数の参照バッテリー識別子を記憶しており、そして前記参照バッテリー識別子はそれぞれ、前記複数組の参照バッテリーデータ及び前記複数の参照受託識別子に対応している。
【００４４】
ステップ７２において、バッテリー４のユーザの前記ユーザ端電子装置は、関連受託識別子を生成し、ショートメッセージサービス（ＳＭＳ）という手段で、該関連受託識別子を受託端電子装置に送信して、該受託端電子装置の受託ユーザを識別する。なお、前記受託端電子装置の前記受託ユーザは、バッテリー４のユーザに受託されて、バッテリーの充電のために該バッテリー４を充電ステーション３に持ち込んで充電することを手伝うものである。本実施形態において、バッテリー４のユーザの前記ユーザ端電子装置及び前記受託端電子装置はそれぞれ、モバイル装置（例えば、スマートフォン、またはタブレットコンピュータ）として実施されるが、それらの実施は、本開示に制限されず、他の実施形態で変更されてもよい。また、本実施形態においては、前記関連受託識別子は、車両製造者により開発され且つ前記ユーザ端電子装置に搭載されている、特製のモバイルアプリケーション内に記録されている関連受託データのエントリーに基づき、該特製のモバイルアプリケーションを執行することで生成されるよう実施される。前記参照バッテリー識別子と同様、各前記参照受託識別子及び各前記関連受託識別子は、例えばリニアバーコード、またはＱＲコードのようなマトリックスバーコードとしてフォーマットされて実施される。ただし、各前記参照受託識別子及び各前記関連受託識別子の実施は、本実施形態に制限されず、他の実施形態において変更されてもよい。また、前記関連受託識別子の受託端電子装置への送信の実施は、本実施形態に制限されず、他の実施形態において変更されてもよい。例えば、前記関連受託識別子は、前記受託端電子装置に前記特製のモバイルアプリケーションが搭載されている限り、Ｐｕｓｈ技術という手段で、通信ネットワークを介して該受託端電子装置に送信されてもよい。
【００４５】
ステップ７３において、受託ユーザがバッテリーの充電のためにバッテリー４を前記通知システムの充電ステーション３に持ち込む際、充電ステーション３は、ＮＦＣプロトコルに基づいた、充電ステーション３のサービス端電子装置３１の前記ＮＦＣモジュールにより、充電されるバッテリー４の前記関連バッテリー識別子と、前記受託端電子装置の前記関連受託識別子とを検知する。その後、充電ステーション３のサービス端電子装置３１は、前記関連バッテリー識別子及び前記関連受託識別子をサーバ２に送信する。前述の通り、バッテリー４の前記関連バッテリー識別子は、該バッテリー４の製造工程の途中において、車両製造者によりそのバッテリー４に記録され、そして例えばリニアバーコード、またはＱＲコードのようなマトリックスバーコードとしてフォーマットされて実施される。
【００４６】
ステップ７４において、サーバ２は、前記関連受託識別子がサーバ２内に記憶される前記参照受託識別子のうちの１つと一致するか否か、及び、前記関連バッテリー識別子がサーバ２内に記憶される前記参照バッテリー識別子のうちの１つと一致するか否かを判定する。サーバ２により、前記関連受託識別子が該サーバ２に記憶されている前記参照受託識別子のうちの１つと一致し、且つ前記関連バッテリー識別子が該サーバ２に記憶されている前記参照バッテリー識別子のうちの１つと一致すると判定した際、流れはステップ７５に移る。
【００４７】
ステップ７５において、サーバ２は、充電ステーション３の充電器３２に充電指令を送信して、該充電ステーション３の充電器３２のバッテリー４に対する充電を可能にする。
【００４８】
ステップ７６において、サーバ２によりバッテリー４が満充電されたと判定した際、該サーバ２は、ステップ７４において前記関連バッテリー識別子と一致すると判定された、前記参照バッテリー識別子のうちの前記１つに対応する、前記複数組の参照バッテリーデータのうちの１組の前記ユーザ端ターゲット受け手コードに指示される前記ユーザ端電子装置に、受け取り通知を送信する。結果として、バッテリー４のユーザは、該バッテリー４を受け取るよう通知される。
【００４９】
総括すると、本開示に係る通知方法は、前記通知システムを利用して、充電されるバッテリーの関連バッテリー識別子のうちの少なくとも１つと、前記バッテリーを前記充電ステーションに持ち込むよう受託された第３者に関する識別子とを検知し、そして該バッテリーを充電する。前記バッテリーが充電されたと判定した際、前記通知方法では、前記通知システムを利用して、受け取り通知を該バッテリーのユーザのモバイル装置に送信する。このため、前記バッテリーのユーザは、該バッテリーを受け取る通知を得て、問い合わせの手間を省くことができる。
【００５０】
上記においては、本発明の全体的な理解を促すべく、多くの具体的な詳細が示された。しかしながら、当業者であれば、一またはそれ以上の他の実施形態が具体的な詳細を示さなくとも実施され得ることが明らかである。また、本明細書における「一つの実施形態」「一実施形態」を示す説明において、序数などの表示を伴う説明は全て、特定の態様、構造、特徴を有する本発明の具体的な実施に含まれ得るものであることと理解されたい。更に、本説明において、時には複数の変化例が一つの実施形態、図面、またはこれらの説明に組み込まれているが、これは本説明を合理化させるためのもので、また、本発明の多面性が理解されることを目的としたものであり、また、一実施形態における一またはそれ以上の特徴あるいは特定の具体例は、適切な場合には、本開示の実施において、他の実施形態における一またはそれ以上の特徴あるいは特定の具体例と共に実施され得る。
【００５１】
以上、本発明の好ましい実施形態及び変化例を説明したが、本発明はこれらに限定されるものではなく、最も広い解釈の精神および範囲内に含まれる様々な構成として、全ての修飾および均等な構成を包含するものとする。
【図１】
2019180227.tif 000003
【図２】
2019180227.tif 000004
【図３】
2019180227.tif 000005
【図４】
2019180227.tif 000006
【図５】
2019180227.tif 000007
【外国語明細書】
2019180227000001.pdf